(57)【要約】【課題】  ステープルを利用する配線工事において、発泡コンクリート、石膏ボード類及び、ベニヤ板等に打込む事で高い接合力を発揮するものであって、経年変化にも緩みが生じないステープルを提供するものである。【解決手段】  本発明の配線用ステープルは、コの字型の両脚部の先端より切込みによって二股状あるいは複数股を形成して、股の途中に移動するピン、又は座金、及び先端の付近の内側に凸状を設けることで、発泡コンクリート、ボード類、及びベニヤ板等に打込むとピン、又は座金によって両脚部の先端より拡開して高い接合力を発揮するものである。【選択図】        図１
2005257062.tif 000002
【特許請求の範囲】
【請求項１】
両側に脚部が設けられてコの字状に形成されたステープルであって、脚部の軸の芯線に沿って二股状あるいは複数股状になるように切込みを設けて、最先端部に向かい先端が尖った状態を形成する。
前記股の前記切込みの一部分にピンの挿入穴を設けて、ピンを嵌合することで打込み時ピンによって最先端部分の尖った部分より外側に向かって拡開するように設けたことを特徴とする配線用ステープル。
【請求項２】
前記両脚部における二股状あるいは複数股状の切込みの先端付近に座金を挾持して、座金によって最先端部より外側に向かって拡開するように設けたことを特徴とする請求項１の配線用ステープル。
【請求項３】
前記両脚部における二股状あるいは複数股状の切込みの先端部付近の内側に凸状部を設けて、前記凸状部によって先端より外側に向かって拡開するように設けたことを特徴とする請求項１の配線用ステープル。
【発明の詳細な説明】
【発明の詳細な説明】
【発明が属する技術分野】
【０００１】  本発明は、電気配線や通信ケーブルの配線に用いられるステップルに関する。
【背景技術】
【０００２】  従来、電気配線であるＦケーブルや信号、通信ケーブルの配線に用いられるステップルにおいて、釘の利く木材のような材質のみに利用が限られているもので、石膏ボード類や発泡コンクリート（以下「ＡＬＣ部材」という）の被接合物に打ち込んでも摩擦力が発揮せず、ケーブルのように荷重の掛かるものに利用ができないものである。
また、薄いベニヤ板にも利きにくいものである。【０００３】  これらのことを改善するものに、以下のようなものが公報によって知られている。
従来には、、被覆体の全体に、Ｕ字型の金属体を芯金として一体を組込み、金属体の頭上面を出して、この金属部を打ちＡＬＣ部材に止着するもので、このとき止着部材と金属脚との間で復元作用をして止着する被覆ステップルがある。（例えば特許文献１参照）
また、Ｕ字型の両被覆脚の口開部から脚先に至り釘脚打込み穴を設けて、被覆脚と金属脚を組み合わせた配線用ステープルがある。ＡＬＣ部材などに打ち込んで、被覆脚が金属脚によって拡張して接合力を増して利用するものがある。（例えば特許文献２参照）
また、ＡＬＣ部材に利用出来る樹脂材で成型したステップルがある。【０００４】
【特許文献１】          特開Ｈ０２−２７５１０６号公報
【特許文献２】          特開Ｈ０３−０２４３０７号公報
【発明が解決しようとする課題】
【０００５】  しかしながら、従来の改良釘にも下記のような問題がある。
特許文献１、特許文献２及び、樹脂材のステップルにおいて、石膏ボウドや、ベニヤ材等の材質には向かないものである。
【０００６】  また、樹脂材のステップルにおいては、柔軟性が無く打撃に弱く折れやすい、さらに、高い熱によって変形するものである。
【０００７】  そこで本発明は、上記の課題に鑑み、従来のステープルと同様、被接合物であるＡＬＣ部材や石膏ボード類のボードにハンマーで打ち込むだけで容易に作業ができて高い接合力を得られることからケーブルの高荷重に耐えることができるものである。
【課題を解決するための手段】
【０００８】  上記の課題を解決するため、本発明はコ字状の形成されたステープルの両脚部は先端部に向かって細くなる尖った状態で、脚部は最先端より複数の切込みによって二股状あるいは、複数股状を上部にかけて形成して、その下部にピンが上部に移動できるように設ける。
よって、ＡＬＣ部材等に、本ステープル本体の頭上部をハンマーなどによって打込むとき両脚部に設けられたピンによって最先端より外側に向かって拡開して止着することを特徴とする。
【０００９】  また、両脚部において、尖った状態の最先端より上部に向かって切込みによって二股状あるいは、複数股状形成した両脚部の下部分に座金を挾持する。座金は上部に移動出来るようにすることで、両脚部がＡＬＣ部材、ボード及び、ベニヤ板類に打込まれると先端より外側に拡開することを促進して止着することを特徴とする。
【００１０】  また、両脚部の尖った先端部より、上部に向かって切り込みを形成した二股状あるいは、複数股状の先端付近の内側に凸状部を設ける。したがって、ＡＬＣ部材に打込むと凸状部が内部の部材にぶつかり摩擦抵抗が生じて股状の脚部が外側に向かって拡開して止着することを特徴とする。
【発明を実施するための最良の形態】
【００１１】  本発明の実施の形態について図面を参照して説明する。
図１〜図５を参照して、本発明の第一実施例を説明する。図１の正面図と図２の側面面に示すように、コの字状に形成されたステープル頭上部１と脚部２からなる。脚部２は最先端部３に向かって細くなり、尖った状態となり、脚部２の軸の芯線に沿って二股状なるように切込み４を上部かけて形成する。
図３は脚部２の下部の拡大図に示すように、切込み４の下部付近に、頂点を上部にした三角状の欠部５を設けて、図４は拡大の斜視図に示すように三角柱ピン６を嵌合する。
そして、三角柱ピン６は切込み４の上部に移動できるようにする。
また、図５は拡大の斜視図に示すように、三角柱ピン６の代わりに楕円状の欠部を設けて、ここに錐ピン６Ａ嵌合するもので、円錐ピン６Ａの穴５Ａの上部は移動できるようにすることで、三角ピン６と同様の働きをするものである。
したがって、ピン６、６Ａが上部に移動するとピンの下側の脚部２、２Ａは拡がるように形成する。【００１２】  いま、ＡＬＣ部材１２やボード類にＦケーブル等の配線作業をするとき、ステープル頭上部１をハンマーで打ち続ける。ここで、両脚部２がＡＬＣ部材１２やボード等に打込まれるとピン６、６Ａが表面に達すると、その表面に止まるか、あるいは状況によって僅かづつはいるが、打ち込まれることによって欠部５、５Ａのピン６、６Ａより外れることで、股状の脚部２の切込み４がピン６、６Ａによって拡がりながらはいる。したがってＡＬＣ部材１２やボード類の内部で最先端部３より外側に向かって次第に拡がりながら打込まれる。
よって、ＡＬＣ部材の内部で拡がることで、打込まれた脚部２が摩擦抵抗によって強い接合力となってステープル本体が抜けなくなるものである。【００１３】  また、図６〜図１０を参照して、本発明の第二実施例を説明する。図７の正面図に示すように、両脚部２Ｂを二股状に形成した切込み４Ｂの下部付近に切込み４Ｂを垂直に対して直角に凹欠部７を設ける。凹欠部７の内側の両サイドは湾曲状に設ける。また、図１１に示すように、凹欠部７を脚部２Ｃの外側に設けても同様である。
そして、図８の脚部２Ｂ、２Ｃの下部の正面図に示すように、座金８は鍔部１０とガイド溝９からなる。
座金８は図９の拡大図に示すように、座金８のガイド溝９を股状の切込み３Ｂ、３Ｃに合せて挿入して凹欠部７に挾持することで、図６の正面図に示すように形成するものである。【００１４】  この方法によって、図１０に示すように、本ステープルをＡＬＣ部材１２、ボード類及び、ベニヤ板１１等に打込むと座金８がＡＬＣ部材１２、ボード類及び、ベニヤ板等の正面に達すると、摩擦面が大きいことからはいり込むことがなく、凹欠部７、７Ａの両サイドが湾曲状であることから、即外れて脚部２Ｂ、２Ｃのみが食込むことから股状の脚部２Ｂ、２Ｃが、それぞれ拡がることで最先端部３Ｂ、３Ｃより外側に拡がりながら打込まれるものである。【００１５】  なお、三角柱ピン６、円錐ピン６Ａ、及び座金７等の脱落や、抜け落ちないようにするものに次の方法がある。
塗料や弱い接着剤等によって三角柱ピン６、円錐ピン６Ａ、及び座金７の部分に塗り固めてることで仮止めをする。
あるいは、三角柱ピン６及び円錐ピン６Ａの両端に鍔を取り付けることによって抜け止め防止になるように設ける。【００１６】  また、図１２を参照して、本発明の第三実施例を説明する。図１２の脚部２Ｄの先端部３Ｄにおける拡大の正面図に示すように、両脚部２Ｄの切込み４Ｄによって二股状を形成した先端部３Ｄ付近の両内側に凸状部１３を設ける。【００１７】  したがって、図１３に示すように、本ステープルをＡＬＣ部材１２Ａに打込むと最先端部３Ｄより食込み凸状部１３が内部に達すると、内部部材との抵抗によって摩擦を起こして二股状の脚部２Ｄが外側に拡開して打込まれることで強い接合力となるものである。
【発明の効果】
【００１８】  本発明は、以上説明したように構成されているので、以下に記載されているうな効果を奏する。
【００１９】  請求項１の配線用ステープルを用いて、ＡＬＣ部材または、ボード類に配線作業において、軽く打込む事で両脚部に設けた切込みとピンによって、先端部より外側に拡開して強い接合力を発揮する事で、配線作業効率を高めることができるものである。
【００２０】  請求項２の配線用ステープルを用いて、両脚部の切込みの下部付近に挾持した座金を設けることによって、ＡＬＣ部材、ボード及び、利きにくい薄いベニヤ類にも先端部より即座に拡開して高い接合力を発揮して、比接合物の材料を選ばず配線作業を効率よく進めることができるものである。
【００２１】  請求項３の配線用ステープルを用いて、配線ケーブルをＡＬＣ部材等に容易に止めることができて、配線作業効率を高めることができる。
また、製品コストも安くでき経済性にも優れているものである。
【図面の簡単な説明】
【図１】  本発明の第一実施例を示す正面図である。
【図２】  １図の側面図である。
【図３】  １図の脚部の下部分における三角状の欠部の拡大した正面図である。
【図４】  ３図の三角状の欠部に三角柱ピンを嵌合した拡大の斜視図である。
【図５】  脚部の下部分に円錐ピンを嵌合した拡大の斜視図である。
【図６】  本発明の第二実施例を示す正面図である。
【図７】  図６の脚部の下部分に設けた凹欠部の拡大した正面図である。
【図８】  座金の正面図である。
【図９】  図７の凹欠部に座金のガイド溝に股状の脚部を入れ、挾持した拡大の斜視図である。
【図１０】  本発明のステープルをＡＬＣ部材に打込んだ断面図である。
【図１１】  図６の脚部の外側に凹欠部を設けた拡大の正面図である。
【図１２】  本発明の第三実施例を示す図で、脚部の先端部の拡大の正面図である。
【図１３】  本発明の凸状部を設けたステープルをＡＬＣ部材に打込んだ拡大の断面図である。
【符号の説明】
１、１Ａ、はステープル頭上部              ２、２Ａ、２Ｂ、２Ｃ、２Ｄは脚部
３、３Ａ、３Ｂ、３Ｃ、３Ｄは最先端部      ４、４Ａ、４Ｂ、４Ｃ、４Ｄは切込み
５は三角状の欠部                          ５Ａは楕円状の欠部
６は三角柱ピン                            ６Ａは円錐ピン
７、７Ａは凹欠部                          ８は座金
９はガイド溝                            １０は鍔部
１１はＦケーブル                          １２、１２ＡはＡＬＣ部材
１３は凸状部
【図１】
2005257062.tif 000003
【図２】
2005257062.tif 000004
【図３】
2005257062.tif 000005
【図４】
2005257062.tif 000006
【図５】
2005257062.tif 000007
【図６】
2005257062.tif 000008
【図７】
2005257062.tif 000009
【図８】
2005257062.tif 000010
【図９】
2005257062.tif 000011
【図１０】
2005257062.tif 000012
【図１１】
2005257062.tif 000013
【図１２】
2005257062.tif 000014
【図１３】
2005257062.tif 000015